(57)【特許請求の範囲】
【請求項１】
住宅で使用するための電力を蓄電する蓄電池と、
前記蓄電池に蓄電された電力または該電力とは異なる他の電力に切り換えて住宅に電力を供給可能な分電盤と、
情報センターから送信される災害情報を受信する受信手段と、
前記受信手段によって前記災害情報を受信した場合に、前記他の電力を住宅に供給するように前記分電盤を制御して前記蓄電池の充放電を遮断するように制御する制御手段と、
前記蓄電池の異常を判断するための物理量を検出する検出手段と、
前記検出手段の検出結果に基づいて前記蓄電池の異常を判定する判定手段と、
を備え、
前記判定手段が、前記蓄電池の充放電の遮断後かつ再開前に前記蓄電池に異常が発生しているか否かを判定する電源システム。
【請求項２】
前記他の電力は、太陽光発電を含むグリーン電力、車両用蓄電池に蓄電された電力、及び電力会社から供給される系統電力の少なくとも１つの電力からなる請求項１に記載の電源システム。
【請求項３】
前記制御手段が、前記蓄電池の充放電の遮断後に前記判定手段によって前記蓄電池に異常が発生していないと判定された場合に、前記蓄電池の充放電を再開するように更に制御する請求項１又は請求項２に記載の電源システム。
【請求項４】
前記検出手段の検出結果を情報センターへ送信する送信手段を更に備え、
前記情報センターが前記送信手段によって送信された前記検出手段の検出結果に基づいて前記蓄電池の異常を判定して判定結果を返信し、
前記受信手段が前記情報センターから送信される前記判定結果を更に受信すると共に、前記制御手段が、前記蓄電池の充放電の遮断後に前記受信手段によって受信した前記判定結果が前記蓄電池に異常が発生していない場合に、前記蓄電池の充放電を再開するように更に制御する請求項１又は請求項２に記載の電源システム。
【請求項５】
前記制御手段は、前記蓄電池の充放電の遮断後に前記蓄電池に異常が発生していると判定された場合には、前記蓄電池の充放電を完全に遮断する請求項１〜４の何れか１項に記載の電源システム。
【発明の詳細な説明】
【技術分野】
【０００１】
本発明は、電源システムにかかり、特に、太陽光発電装置や蓄電池等の系統電力以外の電源を備えて、災害発生時に自動復旧可能な電源システムに関する。
【背景技術】
【０００２】
従来より、発電装置によって発電した電力を蓄電しておき、災害発生時に、蓄電池に蓄電された電力を非常用電源として利用することが知られている（例えば、特許文献１）。
【０００３】
特許文献１に記載の技術では、電力引き込み線を各建物に引き込むための引込装置に、発電装置と、発電装置からの電力を蓄電する蓄電装置と、蓄電装置からの電力の変換等の制御を行う制御装置と、を備えることが提案されている。
【先行技術文献】
【特許文献】
【０００４】
【特許文献１】特開２００７−２８２４５６号公報
【発明の概要】
【発明が解決しようとする課題】
【０００５】
しかしながら、特許文献１に記載の技術では、災害発生時に蓄電池に充電した電力を供給するようにしているが、蓄電池の異常については考慮していないため改善の余地がある。
【０００６】
本発明は、上記事実を考慮して成されたもので、蓄電池の異常を考慮した電力供給を行うことを目的とする。
【課題を解決するための手段】
【０００７】
上記目的を達成するために請求項１に記載の発明は、住宅で使用するための電力を蓄電する蓄電池と、前記蓄電池に蓄電された電力または該電力とは異なる他の電力に切り換えて住宅に電力を供給可能な分電盤と、情報センターから送信される災害情報を受信する受信手段と、前記受信手段によって前記災害情報を受信した場合に、前記他の電力を住宅に供給するように前記分電盤を制御して前記蓄電池の充放電を遮断するように制御する制御手段と、前記蓄電池の異常を判断するための物理量を検出する検出手段と、前記検出手段の検出結果に基づいて前記蓄電池の異常を判定する判定手段と、を備え、前記判定手段が、前記蓄電池の充放電の遮断後かつ再開前に前記蓄電池に異常が発生しているか否かを判定する。
【０００８】
請求項１に記載の発明によれば、蓄電池には、住宅で使用するための電力が蓄電され、分電盤は、蓄電池に蓄電された電力または該電力とは異なる他の電力に切り換えて住宅に電力が供給可能とされている。
【０００９】
蓄電池に蓄電された電力とは異なる他の電力としては、例えば、請求項２に記載の発明のように、太陽光発電を含むグリーン電力、車両用蓄電池に蓄電された電力、及び電力会社から供給される系統電力の少なくとも１つの電力を適用することができる。
【００１０】
また、受信手段では、情報センターから送信される災害情報が受信される。例えば、情報センターが公的機関より取得した災害情報を送信し、受信手段が当該災害情報を受信する。
【００１１】
そして、制御手段では、受信手段によって災害情報を受信した場合に、他の電力を住宅に供給するように分電盤が制御されて蓄電池の充放電を遮断するように制御される。すなわち、災害が発生した場合には、蓄電池以外の他の電力に切り換えられて、蓄電池の充放電が遮断されるので、蓄電池の異常を考慮して電力供給を行うことができる。
【００１２】
また、蓄電池の異常を判断するための物理量を検出する検出手段と、検出手段の検出結果に基づいて前記蓄電池の異常を判定する判定手段と、を更に備えて、判定手段が、蓄電池の充放電の遮断後かつ再開前に前記蓄電池に異常が発生しているか否かを判定する。なお、請求項３に記載の発明のように、制御手段が、蓄電池の充放電の遮断後に判定手段によって蓄電池に異常が発生していないと判定された場合に、蓄電池の充放電を再開するように更に制御するようにしてもよいし、請求項４に記載の発明のように、検出手段の検出結果を情報センターへ送信する送信手段を更に備えて、情報センターが送信手段によって送信された検出手段の検出結果に基づいて蓄電池の異常を判定して判定結果を返信し、受信手段が情報センターから送信される判定結果を更に受信すると共に、制御手段が、蓄電池の充放電の遮断後に受信手段によって受信した判定結果が蓄電池に異常が発生していない場合に、蓄電池の充放電を再開するように更に制御するようにしてもよい。これによって、災害発生時に蓄電池の異常を検出すると共に、異常がない場合には蓄電池の使用を再開することが可能となる。なお、請求項５に記載の発明のように、制御手段は、蓄電池の遮断後に蓄電池に異常が発生していると判定された場合には、蓄電池の充放電を完全に遮断するようにしてもよい。
【００１３】
なお、検出手段が検出する蓄電池の異常を判断するための物理量としては、例えば、蓄電池の温度を検出するようにしてもよいし、蓄電池の電流値や電圧値を検出するようにしてもよいし、他の物理量を検出するようにしてもよい。
【発明の効果】
【００１４】
以上説明したように本発明によれば、災害情報を受信した場合に、蓄電池の電力とは異なる電力に切り換えて蓄電池の充放電を遮断することにより、蓄電池の異常を考慮した電力供給を行うことができる、という効果がある。
【図面の簡単な説明】
【００１５】
【図１】本発明の実施の形態に係わる電源システムの概略構成を示すブロック図である。
【図２】本発明の実施の形態に係わる電源システムに含まれるＨＥＭＳの概略構成を示すブロック図である。
【図３】災害度合いに応じた電力の切換テーブルの一例を示す図である。
【図４】情報センターで行われる処理の流れの一例を示すフローチャートである。
【図５】本発明の実施の形態に係わる電源システムのＨＥＭＳで行われる処理の流れの一例を示すフローチャートである。
【図６】情報センターで行われる処理の流れの変形例を示すフローチャートである。
【図７】本発明の実施の形態に係わる電源システムのＨＥＭＳで行われる処理の流れの変形例を示すフローチャートである。
【発明を実施するための形態】
【００１６】
以下、図面を参照して本発明の実施の形態の一例を詳細に説明する。図１は、本発明の実施の形態に係わる電源システムの概略構成を示すブロック図である。なお、図１中の実線は電力線を示し、点線は情報線を示すものとする。
【００１７】
本発明の実施の形態に係わる電源システム１０は、太陽光発電装置１２を備えて、太陽光によって発電された電力を住宅で使用可能とされている。
【００１８】
太陽光発電装置１２には、パワーコントロールシステム（図示省略）を介して分電盤１４に接続されており、太陽光発電装置１２によって発電された直流電力がパワーコントロールシステムによって交流電力に変換されて分電盤１４に供給されることにより、住宅に電力が供給される。
【００１９】
また、分電盤１４には、グリーン電力（例えば、太陽光発電装置１２以外の風力発電装置や水力発電装置など）１６、電力会社から供給される系統電力１８、及び系統電力１８や太陽光発電を含むグリーン電力を蓄電する蓄電池２４が接続されており、グリーン電力１６、系統電力１８や蓄電池２４に蓄電された電力を住宅に供給することが可能とされている。なお、蓄電池２４は、リチウムイオン電池、鉛電池、ナトリウム電池等の各種蓄電池を適用することができる。
【００２０】
また、分電盤１４には、ハイブリッド自動車や電気自動車等に搭載された車両用蓄電池２８を充電するための充電スタンド２６が接続されており、分電盤１４から充電スタンド２６に電力を供給して車両用蓄電池２８を充電することが可能とされている。また、本実施の形態では、非常の場合に、車両用蓄電池２８から分電盤１４に電力を供給することも可能とされている。
【００２１】
すなわち、本実施の形態では、太陽光発電装置１２による発電電力、系統電力１８、蓄電池２４に蓄電された電力、及び車両用蓄電池２８に蓄電された電力の何れかを分電盤１４を介して住宅に供給することが可能とされている。なお、グリーン電力、車両用蓄電池に蓄電された電力、及び系統電力は少なくとも１つを供給可能なようにしてもよい。
【００２２】
また、分電盤１４には、住宅に設けられた家電機器２０や住設機器２２等が接続されており、上記の何れかの電力が供給される。
【００２３】
さらに、分電盤１４には、住宅内のエネルギーの管理や制御を行うＨＥＭＳ（Home Energy Management System）３０が接続されている。ＨＥＭＳ３０は、分電盤１４を制御することにより、太陽光発電装置１２の発電電力、蓄電池２４の電力、系統電力１８、車両用蓄電池２８の電力の何れかを住宅へ供給するために電力の切換制御等を行う。
【００２４】
また、ＨＥＭＳ３０は、予め定めた情報センター３２と通信可能とされており、情報センター３２から災害情報を受信して、災害時に電力の切換制御を行う。電力の切換制御としては、蓄電池２４から電力を供給している場合には、他の電力に切り換えて蓄電池２４の充放電を遮断して、蓄電池２４の異常を確認し、異常が確認されない場合には、蓄電池２４の充放電を再開する。
【００２５】
情報センター３２は、気象庁などの公的機関が発信する災害情報を取得して、災害に対応する地域のＨＥＭＳ３０に対して災害情報を送信する機能を備えている。また、情報センター３２は、ＨＥＭＳ３０で行われる電力の切換等の制御結果を取得して、電力の供給状態等をＨＥＭＳ３０の住人が所有する携帯端末３４へ送信する機能も備えている。
【００２６】
図２は、本発明の実施の形態に係わる電源システム１０に含まれるＨＥＭＳ３０の概略構成を示すブロック図である。
【００２７】
ＨＥＭＳ３０は、コンピュータを含んで構成されており、図２に示すように、ＣＰＵ３６、ＲＯＭ３８、ＲＡＭ４０、及び入出力ポート４２を備えて、これらがアドレスバス、データバス、及び制御バス等のバス４４を介して互いに接続されている。
【００２８】
入出力ポート４２には、各種入出力機器として、表示部４６、操作部４８、及びメモリ５０が接続されている。なお、表示部４６及び操作部４８は一体で構成され、操作部４８は、表示部４６に設けられたタッチパネルを適用することができる。
【００２９】
メモリ５０には、上述した住宅へ供給する電力の切換制御を行うプログラムや、家電機器２０や住設機器２２の制御を行うためのプログラム、これらのプログラムを実行するための各種情報が記憶されており、メモリ５０に記憶されたプログラムをＲＡＭ４０等に展開してＣＰＵ３６が実行することにより、住宅へ供給する電力の切換制御や、その他の各種制御を行うようになっている。
【００３０】
さらに、入出力ポート４２には、蓄電池２４の異常を検出するための蓄電池監視センサ５４、及び分電盤１４が接続されている。
【００３１】
蓄電池監視センサ５４は、例えば、蓄電池２４のセル毎に設けた温度センサを適用することができ、ＨＥＭＳ３０が温度センサによって検出された温度を取得して所定値以上の温度の場合には蓄電池２４に異常が発生していると判断する。また、蓄電池監視センサ５４の以外の例としては、電流センサや電圧センサ等を適用することも可能であり、検出した電流値や電圧値を元にＨＥＭＳ３０が蓄電池２４の異常を判定するようにしてもよい。
【００３２】
分電盤１４は、上述したように住宅に供給する電力を切り換える機能を備えており、ＨＥＭＳ３０が分電盤１４を制御することによって電力の切り換えが行われる。
【００３３】
また、入出力ポート４２には、インターネット等のネットワーク５２を介して情報センター３２が接続され、ネットワーク５２を介して情報センター３２と情報の授受が可能とされている。本実施の形態では、ＨＥＭＳ３０は、情報センター３２から災害情報を受信して、電力の切換制御を行い、切換制御結果や蓄電池の異常等の情報を情報センター３２へ送信するようになっている。そして、この情報を受けて、情報センター３２では、上述したように、ＨＥＭＳ３０の住人が所有する携帯端末に対して、ＨＥＭＳ３０から取得した情報を送信する。これによって、住人は外出先からでも電力の切換状況や蓄電池２４の異常等を知ることができる。
【００３４】
続いて、本発明の実施の形態に係わる電源システム１０で行われる処理の概略について説明する。
【００３５】
情報センター３２では、気象庁などの公的機関が発信する災害情報を受信して、災害情報を受信すると予め契約されたＨＥＭＳ３０のうち災害の地域に対応するＨＥＭＳ３０に対して災害情報を送信する。例えば、情報センター３２は、契約者の地域を予め登録しておき、災害情報の地域に対応する契約者を検索することにより、災害の地域に対応するＨＥＭＳ３０を特定して災害情報を送信する。
【００３６】
各住戸のＨＥＭＳ３０では、情報センター３２から災害情報を受信すると、災害度合いを判断して電力の切り換えを行う。例えば、ＨＥＭＳ３０には、図３（Ａ）に示すような電力切り換えるためのテーブルが予め記憶されており、災害の度合いに応じて電力の切換制御を行う。例えば、図３（Ａ）の例では、災害度合いを軽度と重度に予め分けて、災害度合いが軽度の場合には、一般地域のＨＥＭＳ３０では系統電力１８を供給し、離島では系統電力１８が弱いためグリーン電力１６又は車両用蓄電池２８の電力を供給するように、ＨＥＭＳ３０が電力の切り換えを制御し、災害度合いが重度の場合には、一般地域及び離島共に、グリーン電力又は車両用蓄電池２８の電力を供給するように、ＨＥＭＳ３０が電力の切り換えを制御する。
【００３７】
なお、図３（Ａ）では、災害度合いが軽度と重度の場合を示すが、図３（Ｂ）のように、災害度合いを軽度、中度、重度の３段階に分けて、災害度合い毎に切り換える電力を予め定めてＨＥＭＳ３０が電力の切り換えを制御するようにしてもよい。また、災害度合いとしては、例えば、災害が地震の場合には、震度を適用することができ、震度毎に電力の供給源を予め定めて、ＨＥＭＳ３０が電力の切り換えを制御するようにしてもよい。また、災害としては、地震に限るものではなく、雷や水害等の他の災害を適用するようにしてもよい。
【００３８】
本実施の形態では、災害が発生した場合には、ＨＥＭＳ３０は、上記のように電力の切り換えを行って、蓄電池２４の充放電を遮断することにより、住宅への電力供給断を防止して、蓄電池の異常使用を防止するようにしている。
【００３９】
そして、蓄電池監視センサ５４によって蓄電池２４の状態を検出して、ＨＥＭＳ３０が蓄電池監視センサ５４の検出結果を取得し、取得した蓄電池監視センサ５４の検出結果に基づいて、蓄電池２４の異常を判定する。そして、蓄電池２４に異常が発生している場合には、蓄電池２４の充放電を完全に遮断し、異常が発生していない場合には、蓄電池２４の充放電を再開して、災害発生前の電力を切り換える前の状態に復元するように制御する。
【００４０】
次に、本発明の実施の形態に係わる電源システム１０の情報センター３２及びＨＥＭＳ３０で行われる具体的な処理例について説明する。
【００４１】
まず、情報センター３２で行われる具体的な処理の流れの一例について説明する。図４は、情報センター３２で行われる処理の流れの一例を示すフローチャートである。
【００４２】
ステップ１００では、災害が発生したか否かが判定される。該判定は、例えば、気象庁等の公的機関から発信される災害情報を受信したか否かを判定し、該判定が肯定されるまで待機してステップ１０２へ移行する。なお、待機中に他の処理を行う指示等がなされた場合には、指示された処理を開始するものとする。
【００４３】
ステップ１０２では、災害に対応する地域のＨＥＭＳ３０に対して災害情報が送信されてステップ１０４へ移行する。すなわち、地域毎に契約者のアドレス情報を予め記憶しておき、災害が発生した場合には、対応する地域のアドレス情報を読み出して、読み出したアドレス情報に基づいて、ＨＥＭＳ３０に対して災害情報を送信する。
【００４４】
ステップ１０４では、電力切換状況等の情報を受信したか否かが判定される。該判定は、後述するＨＥＭＳ３０で行われる処理によってＨＥＭＳ３０から送信される電力の切換状況や蓄電池の異常情報等を受信したか否かを判定し、該判定が肯定された場合にはステップ１０６へ移行し、否定された場合にはステップ１０８へ移行する。なお、本実施の形態では、電力切換状況等の情報を所定時間経過しても受信しない場合に判定が否定される。
【００４５】
ステップ１０６では、電力切換情報を受信したＨＥＭＳ３０に対応する契約者が所有する携帯端末３４に対してＨＥＭＳ３０から受信した情報を送信する。これによって、住人が外出している場合にも電力の切換状況や蓄電池２４の異常等を知ることができる。
【００４６】
一方、ステップ１０８では、ＨＥＭＳ３０から返信がないので、状況が不明である旨を対応する契約者が所有する携帯端末３４に対して送信する。
【００４７】
次に、ＨＥＭＳ３０で行われる具体的な処理の流れの一例について説明する。図５は、本発明の実施の形態に係わる電源システム１０のＨＥＭＳ３０で行われる処理の流れの一例を示すフローチャートである。
【００４８】
ステップ２００では、情報センター３２から災害情報を受信したか否かが判定される。すなわち、上述のステップ１０２によって情報センター３２が災害情報を送信したＨＥＭＳ３０では、当該判定が肯定され、それ以外のＨＥＭＳ３０では判定が否定され、判定が肯定されるまで待機してステップ２０２へ移行する。なお、待機中に操作部４８等が操作されて他の処理を行う指示が行われた場合には他の処理を行う。
【００４９】
ステップ２０２では、災害度合いに応じた電力源が決定されてステップ２０４へ移行する。すなわち、受信した災害情報から災害度合いを判断して、判断した災害度合いに応じて予め定めた電力源を決定する。例えば、図３（Ａ）、（Ｂ）に示す災害度合いに応じた電力の切換テーブルに基づいて切り換える電力を決定する。
【００５０】
ステップ２０４では、決定した電力源に電力が切り換えられてステップ２０６へ移行する。すなわち、ＨＥＭＳ３０が分電盤１４を制御して電力の供給元を決定した電力に切り換える。例えば、蓄電池から電力を供給している場合に、軽度の災害が発生し、図３（Ａ）の一般地域を適用した場合には、系統電力１８に電力が切り換えられる。
【００５１】
ステップ２０６では、蓄電池２４への充電及び蓄電池２４からの電力供給が共に遮断されてステップ２０８へ移行する。
【００５２】
ステップ２０８では、蓄電池２４の異常が検出されてステップ２１０へ移行する。例えば、蓄電池監視センサ５４が蓄電池２４の各セルの温度を検出する場合には、温度の検出結果が所定値（予め定めた異常と考えられる温度）以上か否かを判定することで蓄電池２４の異常を検出することができる。
【００５３】
ステップ２１０では、蓄電池２４に異常が発生しているか否かが判定され、該判定が否定された場合にはステップ２１２へ移行し、肯定された場合にはステップ２１４へ移行する。
【００５４】
ステップ２１２では、蓄電池２４に異常が検出されないので、蓄電池２４への充放電が再開されてステップ２１６へ移行する。すなわち、電力の切換前に蓄電池２４から住宅へ電力を供給していた場合には、蓄電池２４からの電力供給に切り換え、電力切換前に蓄電池２４を充電していた場合には、蓄電池２４の充電を再開する。
【００５５】
一方、ステップ２１４では、蓄電池２４に異常が検出されたので、蓄電池２４の充放電が完全に遮断されてステップ２１６へ移行する。なお、このとき、表示部４６に蓄電池２４異常である旨を表示するようにしてもよいし、警告音を発生するようにしてもよい。
【００５６】
ステップ２１６では、電力切換及び蓄電池状況を含む情報が情報センター３２に送信されて一連の処理を終了する。これによって情報センター３２では、上述のステップ１０４の判定が肯定され、住人が所有する携帯端末３４に対して、電力の切換状況や蓄電池２４の異常などの情報の送信が行われる。
【００５７】
以上のように情報センター３２及びＨＥＭＳ３０で処理を行うことによって、災害発生時には、蓄電池２４以外の他の電力に切り換えて、蓄電池２４の充放電を遮断することができ、これによって蓄電池の異常による弊害を防止することができる。
【００５８】
また、蓄電池２４の充放電が遮断されると、蓄電池２４の異常の判定が行われて、異常がない場合には復帰し、異常の場合には、完全に遮断することにより、蓄電池２４の異常を考慮した電力供給を確実に行うことができる。
【００５９】
続いて、本発明の実施の形態に係わる電源システムの情報センター３２及びＨＥＭＳ３０で行われる具体的な処理の変形例について説明する。上記の実施の形態では、蓄電池２４の異常判定をＨＥＭＳ３０側で行うようにしたが、変形例では、情報センター３２側で蓄電池２４の異常判定を行うものである。
【００６０】
図６は、情報センター３２で行われる処理の流れの変形例を示すフローチャートである。なお、上記の実施の形態と同一処理については同一符号を付して説明する。
【００６１】
ステップ１００では、災害が発生したか否かが判定される。該判定は、例えば、気象庁等の公的機関から発信される災害情報を受信したか否かを判定し、該判定が肯定されるまで待機してステップ１０２へ移行する。なお、待機中に他の処理を行う指示等がなされた場合には、指示された処理を開始するものとする。
【００６２】
ステップ１０２では、災害に対応する地域のＨＥＭＳ３０に対して災害情報が送信されてステップ１０３へ移行する。すなわち、地域毎に契約者のアドレス情報を記憶しておき、災害が発生した場合には、対応する地域のアドレス情報を読み出して、読み出したアドレス情報に基づいて、ＨＥＭＳ３０に対して災害情報を送信する。
【００６３】
ステップ１０３では、ＨＥＭＳ３０から情報を受信したか否かが判定される。該判定は、後述するＨＥＭＳ３０の処理によって送信される蓄電池監視センサ５４の検出結果及び電力切換結果を受信したか否かを判定し、該判定が肯定された場合にはステップ１０５へ移行し、否定された場合にはステップ１０８へ移行する。なお、本実施の形態では、ＨＥＭＳ３０から情報を所定時間経過しても受信しない場合に判定が否定される。
【００６４】
ステップ１０５では、蓄電池監視センサ５４の検出結果に基づいて蓄電池２４の異常が検出されてステップ１０７へ移行する。例えば、蓄電池監視センサ５４が蓄電池２４の各セルの温度を検出する場合には、温度の検出結果が所定値（予め定めた異常と考えられる温度）以上か否かを判定する。
【００６５】
ステップ１０７では、蓄電池２４の異常判定結果が対応するＨＥＭＳ３０へ送信されてステップ１０９へ移行する。すなわち、本実施の形態では、情報センター３２で蓄電池２４の異常を判定して、電池監視センサ５４の検出結果を送信したＨＥＭＳ３０に対して蓄電池２４の異常判定結果を送信する。
【００６６】
ステップ１０９では、蓄電池２４の異常判定結果及び電力切換情報が対応する携帯端末３４へ送信されて一連の処理を終了する。これによって、住人が外出している場合にも電力の切換状況や蓄電池２４の異常等を知ることができる。
【００６７】
一方、ステップ１０８では、ＨＥＭＳ３０から返信がないので、状況が不明である旨を対応する契約者が所有する携帯端末３４に対して送信する。
【００６８】
続いて、ＨＥＭＳ３０で行われる具体的な処理の変形例について説明する。図７は、本発明の実施の形態に係わる電源システム１０のＨＥＭＳ３０で行われる処理の流れの変形例を示すフローチャートである。なお、上記の実施の形態と同一処理については同一符号を付して説明する。
【００６９】
ステップ２００では、情報センター３２から災害情報を受信したか否かが判定される。すなわち、上述のステップ１０２によって情報センター３２が災害情報を送信したＨＥＭＳ３０では、当該判定が肯定され、それ以外のＨＥＭＳ３０では判定が否定され、判定が肯定されるまで待機してステップ２０２へ移行する。なお、待機中に操作部４８等が操作されて他の処理を行う指示が行われた場合には他の処理を行う。
【００７０】
ステップ２０２では、災害度合いに応じた電力源が決定されてステップ２０４へ移行する。すなわち、受信した災害情報から災害度合いを判断して、判断した災害度合いに応じて予め定めた電力源を決定する。例えば、図３（Ａ）、（Ｂ）に示す災害度合いに応じた電力の切換テーブルに基づいて切り換える電力を決定する。
【００７１】
ステップ２０４では、決定した電力源に電力が切り換えられてステップ２０６へ移行する。すなわち、ＨＥＭＳ３０が分電盤１４を制御して電力の供給元を決定した電力に切り換える。例えば、蓄電池から電力を供給している場合に、軽度の災害が発生し、図３（Ａ）の一般地域を適用した場合には、系統電力１８に電力が切り換えられる。
【００７２】
ステップ２０６では、蓄電池２４への充電及び蓄電池２４からの電力供給が共に遮断されてステップ２０７へ移行する。
【００７３】
ステップ２０７では、蓄電池監視センサ５４の検出結果及び電力切換結果が情報センター３２へ送信されてステップ２０９へ移行する。これによって、上述のステップ１０３の判定が肯定される。
【００７４】
ステップ２０９では、情報センター３２から返信があるか否かが判定される。該判定は、上述のステップ１０７によって送信される蓄電池の異常判定結果を受信したか否かを判定し、該判定が肯定されるまで待機してステップ２１０へ移行する。
【００７５】
ステップ２１０では、蓄電池２４に異常が発生しているか否かが判定され、該判定が否定された場合にはステップ２１２へ移行し、肯定された場合にはステップ２１４へ移行する。
【００７６】
ステップ２１２では、蓄電池２４に異常が検出されないので、蓄電池２４への充放電が再開されて一連の処理を終了する。すなわち、電力の切換前に蓄電池２４から住宅へ電力を供給していた場合には、蓄電池２４からの電力供給に切り換え、電力切換前に蓄電池２４を充電していた場合には、蓄電池２４の充電を再開する。
【００７７】
一方、ステップ２１４では、蓄電池２４に異常が検出されたので、蓄電池２４の充放電が完全に遮断されて一連の処理を終了する。なお、このとき、表示部４６に蓄電池２４異常である旨を表示するようにしてもよいし、警告音を発生するようにしてもよい。
【００７８】
このように情報センター３２及びＨＥＭＳ３０の処理を行うことで、上記の実施の形態では、蓄電池２４の異常判定をＨＥＭＳ３０行っていたが、ＨＥＭＳ３０ではなくて情報センター３２で行うことが可能となる。
【００７９】
なお、上記の実施の形態及び変形例において、予め定めた情報センター３２が、公的機関から災害情報を受信して災害の地域に対応するＨＥＭＳ３０へ災害情報を送信するようにしたが、公的機関自体を情報センター３２として、公的機関（情報センター３２）がインターネット等を介して災害情報をＨＥＭＳ３０に直接送信するようにしてもよい。この場合には、ＨＥＭＳ３０側で災害に対応する地域であるか否か等の判断を行うことにより、上記の実施の形態や変形例と同様に制御することができる。
【符号の説明】
【００８０】
１０    電源システム
１２    太陽光発電装置
１４    分電盤
１６    グリーン電力
１８    系統電力
２４    蓄電池
２６    充電スタンド
２８    車両用蓄電池
３０    ＨＥＭＳ
３２    情報センター
５４    蓄電池監視センサ
【図１】
0005631785.tif 000002
【図２】
0005631785.tif 000003
【図３】
0005631785.tif 000004
【図４】
0005631785.tif 000005
【図５】
0005631785.tif 000006
【図６】
0005631785.tif 000007
【図７】
0005631785.tif 000008